(57)【特許請求の範囲】
【請求項１】
事業者用ＰＨＳ子機からの３２ｋｂｉｔ／ｓＰＩＡＦＳ方式データ、事業者用ＰＨＳ子機からの３２ｋｂｉｔ／ｓ音声データ、内線電話機からのアナログ音声信号各々を６４ｋｂｉｔ／ｓ帯域のタイムスロットを単位として、中央制御装置による制御下に通話路スイッチ上でタイムスロット入替を行う構内交換機が、対向構内交換機との間でＰＩＡＦＳ方式データ、ＰＨＳ・内線電話音声データ、監視・制御信号各々を高速ディジタル回線上の１２８ｋｂｉｔ／ｓ×ｎ帯域のタイムスロット内で時分割多重化された状態として送受信するようにした構内交換機間データ・音声通信方法であって、
前記内線電話機からのアナログ音声信号はディジタル変換により６４ｋｂｉｔ／ｓ音声データに変換された上、前記通話路スイッチを介し３２ｋｂｉｔ／ｓ音声データに音声圧縮された状態の情報チャネルとして、
前記事業者用ＰＨＳ子機からの３２ｋｂｉｔ／ｓ音声データは一旦、６４ｋｂｉｔ／ｓ音声データに変換された上、前記通話路スイッチを介し３２ｋｂｉｔ／ｓ音声データに音声圧縮された状態の情報チャネルとして、
前記事業者用ＰＨＳ子機からの３２ｋｂｉｔ／ｓＰＩＡＦＳ方式データは６４ｋｂｉｔ／ｓ帯域内で速度圧縮された後、前記通話路スイッチを介し当該ＰＩＡＦＳ方式データ部分のみが選択的に抽出された上、３２ｋｂｉｔ／ｓに速度伸長された状態の情報チャネルとして、
前記複数の情報チャネルを使って前記高速ディジタル回線を利用するために送受信する前記中央制御装置からの６４ｋｂｉｔ／ｓ監視・制御信号は６４ｋｂｉｔ／ｓのタイムスロット上で監視・制御信号として使用されている部分のみが３２ｋｂｉｔ／ｓに速度伸長された状態の１つの制御チャネルとして、
それぞれ前記高速ディジタル回線上の１２８ｋｂｉｔ／ｓ×ｎ帯域のタイムスロット内に３２ｋｂｉｔ／ｓのｍ個の情報チャネル＋１制御チャネルとして時分割多重された状態として前記対向構内交換機に送信される一方、
前記対向構内交換機から前記高速ディジタル回線上の１２８ｋｂｉｔ／ｓ×ｎ帯域のタイムスロット内に時分割多重されている３２ｋｂｉｔ／ｓのｍ個の情報チャネル＋１制御チャネルが受信されるに際しては、３２ｋｂｉｔ／ｓのｍ個の情報チャネル上のＰＩＡＦＳ方式データ、ＰＨＳ・内線電話音声データ及び１つの制御チャネル上の監視・制御信号各々は逆経路上を辿る途中で逆処理が行われつつ、前記内線電話機、前記事業者用ＰＨＳ子機、前記中央制御装置各々に分配されるようにした構内交換機間データ・音声通信方法。
尚、ｎは、１から４までの自然数であり、ｍは、ｎが１の場合は３、ｎが２の場合は７、ｎが３の場合は１１、ｎが４の場合は１５である。
【請求項２】
事業者用ＰＨＳ子機からの３２ｋｂｉｔ／ｓＰＩＡＦＳ方式データ、事業者用ＰＨＳ子機からの３２ｋｂｉｔ／ｓ音声データ、内線電話機からのアナログ音声信号各々を６４ｋｂｉｔ／ｓ帯域のタイムスロットを単位として、中央制御装置による制御下に通話路スイッチ上でタイムスロット入替を行い、且つ相手方との間で相互にＰＩＡＦＳ方式データ、ＰＨＳ・内線電話音声データ、監視・制御信号各々を高速ディジタル回線上の１２８ｋｂｉｔ／ｓ×ｎ帯域のタイムスロット内で時分割多重化された状態として送受信する高速ディジタル回線インタフェース回路を有する構内交換機であって、
前記高速ディジタル回線インタフェース回路は、
前記通話路スイッチを介して受信するディジタル変換により６４ｋｂｉｔ／ｓ音声データに変換された前記内線電話機からのアナログ音声信号を、３２ｋｂｉｔ／ｓ音声データに音声圧縮された状態の情報チャネルとし、
前記通話路スイッチを介して受信する一旦、６４ｋｂｉｔ／ｓ音声データに変換された前記事業者用ＰＨＳ子機からの３２ｋｂｉｔ／ｓ音声データを、３２ｋｂｉｔ／ｓ音声データに音声圧縮された状態の情報チャネルとする音声圧縮回路と、
前記事業者用ＰＨＳ子機からの３２ｋｂｉｔ／ｓＰＩＡＦＳ方式データは６４ｋｂｉｔ／ｓ帯域内で速度圧縮された後、前記通話路スイッチを介し受信し、当該ＰＩＡＦＳ方式データ部分のみが選択的に抽出された上、３２ｋｂｉｔ／ｓに速度伸長された状態の情報チャネルとする選択回路と、
前記複数の情報チャネルを使って前記高速ディジタル回線を利用するために送受信する前記中央制御装置からの６４ｋｂｉｔ／ｓ監視・制御信号のうち、６４ｋｂｉｔ／ｓのタイムスロット上で 監視・制御信号として使用されている部分のみを３２ｋｂｉｔ／ｓに速度伸長された状態の1つの制御チャネルとする制御チャネル回路と、
前記音声圧縮回路及び前記選択回路からの３２ｋｂｉｔ／ｓのｍ個の情報チャネルと、前記制御チャネル回路からの1つの制御チャネルと、を時分割多重する多重回路と、
を備えたことを特徴とする構内交換機。
尚、ｎは、１から４までの自然数であり、ｍは、ｎが１の場合は３、ｎが２の場合は７、ｎが３の場合は１１、ｎが４の場合は１５である。
【発明の詳細な説明】
【０００１】
【発明の属する技術分野】
本発明は、事業者用ＰＨＳ子機からのＮｋbit/s ＰＩＡＦＳ方式データ、事業者用ＰＨＳ子機からのＮｋbit/s 音声データ、内線電話機からのアナログ音声信号、中央制御装置からのＭ（＝２Ｎ）ｋbit/s 監視・制御信号各々を取扱う構内交換機間でそれらデータ、音声データ、監視・制御信号各々が高速ディジタル回線を介し送受信される際での構内交換機間データ・音声通信方法、更には、その構内交換機そのものに関するものである。
【０００２】
【従来の技術】
一般に、（自動）構内交換機間が高速ディジタル回線で接続された状態で、構内交換機各々で内線電話機からのアナログ音声信号や事業所用ＰＨＳ子機からの音声データ、事業所用ＰＨＳデータ各々が多重化された上、対向構内交換機に送信される場合、構内交換機間の信号方式の選択如何や（共通線信号方式を採用するか否か）、音声圧縮方式の選択如何（データ自体は符号化圧縮されることはないにしても、音声に対する符号化圧縮方式には多種のものがある）により、専用の高速ディジタル回線インタフェース装置（多重化装置）が要されるものとなっている。
【０００３】
なお、特開平６−２０５４７５号公報には、構内交換機における多重化方式が開示されてるが、事業所用ＰＨＳデータ通信が考慮された、ＤCHの通信速度の圧縮方式については何等言及されていないものとなっている。
【０００４】
【発明が解決しようとする課題】
一般に、これまでにあっては、構内交換機間で高速ディジタル回線を介し、音声通信や事業所用ＰＨＳデータ通信が行われる場合、専用、且つ高価な高速ディジタル回線インタフェース装置（多重化装置）が必要とされているばかりか、構内交換機間の信号方式や音声圧縮方式の組合せが必要であり、これがために、専門のシステムエンジニアリングが必要とされているのが実情である。
【０００５】
また、構内交換機間の通信に高速ディジタル回線が利用されるに際しては、相手識別のためのダイヤル信号等の制御信号はＤCHを介し通信されているが、そのＤCHが６４ｋbit/s のため、低速の高速ディジタル回線利用の際、この回線帯域がＤCH信号に専有されてしまい、音声等の信号に使用される帯域が少なくなる。しかも、事業所用ＰＨＳのＰＩＡＦＳ方式３２ｋbit/s データ通信が高速ディジタル回線を利用して行われる場合、６４ｋbit/s の帯域が必要となっている。更に、複数の高速ディジタル回線が利用される際に、高速ディジタル回線対応にＤCHが必要とされていることから、高速ディジタル回線の利用効率の向上は図れないものとなっている。
【０００６】
本発明の目的は、構内交換機間で高速ディジタル回線を介し、ＰＨＳ・内線電話音声通信や事業所用ＰＨＳデータ通信が行われる場合に、それら通信が経済的に、しかも専門のシステムエンジニアリング不要として容易に行い得る構内交換機間データ・音声通信方法、更には、その方法が実施される上で好適な構成の構内交換機を供するにある。
【０００７】
【課題を解決するための手段】
本発明の課題は、下記の各発明によって解決することができる。即ち、本発明の構内交換機間データ・音声通信方法は、事業者用ＰＨＳ子機からの３２ｋｂｉｔ／ｓＰＩＡＦＳ方式データ、事業者用ＰＨＳ子機からの３２ｋｂｉｔ／ｓ音声データ、内線電話機からのアナログ音声信号各々を６４ｋｂｉｔ／ｓ帯域のタイムスロットを単位として、中央制御装置による制御下に通話路スイッチ上でタイムスロット入替を行う構内交換機が、対向構内交換機との間でＰＩＡＦＳ方式データ、ＰＨＳ・内線電話音声データ、監視・制御信号各々を高速ディジタル回線上の１２８ｋｂｉｔ／ｓ×ｎ帯域のタイムスロット内で時分割多重化された状態として送受信するようにした構内交換機間データ・音声通信方法であって、前記内線電話機からのアナログ音声信号はディジタル変換により６４ｋｂｉｔ／ｓ音声データに変換された上、前記通話路スイッチを介し３２ｋｂｉｔ／ｓ音声データに音声圧縮された状態の情報チャネルとして、前記事業者用ＰＨＳ子機からの３２ｋｂｉｔ／ｓ音声データは一旦、６４ｋｂｉｔ／ｓ音声データに変換された上、前記通話路スイッチを介し３２ｋｂｉｔ／ｓ音声データに音声圧縮された状態の情報チャネルとして、前記事業者用ＰＨＳ子機からの３２ｋｂｉｔ／ｓＰＩＡＦＳ方式データは６４ｋｂｉｔ／ｓ帯域内で速度圧縮された後、前記通話路スイッチを介し当該ＰＩＡＦＳ方式データ部分のみが選択的に抽出された上、３２ｋｂｉｔ／ｓに速度伸長された状態の情報チャネルとして、前記複数の情報チャネルを使って前記高速ディジタル回線を利用するために送受信する前記中央制御装置からの６４ｋｂｉｔ／ｓ監視・制御信号は６４ｋｂｉｔ／ｓのタイムスロット上で監視・制御信号として使用されている部分のみが３２ｋｂｉｔ／ｓに速度伸長された状態の１つの制御チャネルとして、それぞれ前記高速ディジタル回線上の１２８ｋｂｉｔ／ｓ×ｎ帯域のタイムスロット内に３２ｋｂｉｔ／ｓのｍ個の情報チャネル＋１制御チャネルとして時分割多重された状態として前記対向構内交換機に送信される一方、前記対向構内交換機から前記高速ディジタル回線上の１２８ｋｂｉｔ／ｓ×ｎ帯域のタイムスロット内に時分割多重されている３２ｋｂｉｔ／ｓのｍ個の情報チャネル＋１制御チャネルが受信されるに際しては、３２ｋｂｉｔ／ｓのｍ個の情報チャネル上のＰＩＡＦＳ方式データ、ＰＨＳ・内線電話音声データ及び１つの制御チャネル上の監視・制御信号各々は逆経路上を辿る途中で逆処理が行われつつ、前記内線電話機、前記事業者用ＰＨＳ子機、前記中央制御装置各々に分配されるようにしたことを主要な特徴としている。尚、ｎは、１から４までの自然数であり、ｍは、ｎが１の場合は３、ｎが２の場合は７、ｎが３の場合は１１、ｎが４の場合は１５である。
【０００８】
また、本発明の構内交換機は、事業者用ＰＨＳ子機からの３２ｋｂｉｔ／ｓＰＩＡＦＳ方式データ、事業者用ＰＨＳ子機からの３２ｋｂｉｔ／ｓ音声データ、内線電話機からのアナログ音声信号各々を６４ｋｂｉｔ／ｓ帯域のタイムスロットを単位として、中央制御装置による制御下に通話路スイッチ上でタイムスロット入替を行い、且つ相手方との間で相互にＰＩＡＦＳ方式データ、ＰＨＳ・内線電話音声データ、監視・制御信号各々を高速ディジタル回線上の１２８ｋｂｉｔ／ｓ×ｎ帯域のタイムスロット内で時分割多重化された状態として送受信する高速ディジタル回線インタフェース回路を有する構内交換機であって、前記高速ディジタル回線インタフェース回路は、前記通話路スイッチを介して受信するディジタル変換により６４ｋｂｉｔ／ｓ音声データに変換された前記内線電話機からのアナログ音声信号を、３２ｋｂｉｔ／ｓ音声データに音声圧縮された状態の情報チャネルとし、前記通話路スイッチを介して受信する、一旦、６４ｋｂｉｔ／ｓ音声データに変換された前記事業者用ＰＨＳ子機からの３２ｋｂｉｔ／ｓ音声データを、３２ｋｂｉｔ／ｓ音声データに音声圧縮された状態の情報チャネルとする音声圧縮回路と、前記事業者用ＰＨＳ子機からの３２ｋｂｉｔ／ｓＰＩＡＦＳ方式データは６４ｋｂｉｔ／ｓ帯域内で速度圧縮された後、前記通話路スイッチを介し受信し、当該ＰＩＡＦＳ方式データ部分のみが選択的に抽出された上、３２ｋｂｉｔ／ｓに速度伸長された状態の情報チャネルとする選択回路と、前記複数の情報チャネルを使って前記高速ディジタル回線を利用するために送受信する前記中央制御装置からの６４ｋｂｉｔ／ｓ監視・制御信号のうち、６４ｋｂｉｔ／ｓのタイムスロット上で 監視・制御信号として使用されている部分のみを３２ｋｂｉｔ／ｓに速度伸長された状態の1つの制御チャネルとする制御チャネル回路と、前記音声圧縮回路及び前記選択回路からの３２ｋｂｉｔ／ｓのｍ個の情報チャネルと、前記制御チャネル回路からの1つの制御チャネルと、を時分割多重する多重回路と、を備えたことを主要な特徴としている。尚、ｎは、１から４までの自然数であり、ｍは、ｎが１の場合は３、ｎが２の場合は７、ｎが３の場合は１１、ｎが４の場合は１５である。
【０００９】
【発明の実施の形態】
以下、本発明の実施の形態について図１から図３により説明する。
先ず本発明による（自動）構内交換機（以下、単に交換機と称す）について説明すれば、図１にその一例でのブロック構成を示す。図示のように、交換機は時間スイッチからなる通話路スイッチ（ＴＳＷ）３を主構成要素として構成された上、その周辺にはアナログ内線電話機（ＴＥＬ）１を収容するためのライン回路（ＬＩＮ）２や、通話路スイッチ３に対しタイムスロット入替制御等を行う中央制御装置（ＣＰＵ）１３が配置されている他、その通話路スイッチ３にはまた、事業者用のＰＨＳ子機（ＰＳ）５がこれにデータ端末（ＤＴＥ）４が随時付属可として、基地局（ＣＳ）６、基地局インタフェース回路（ＣＳＩＦ）７を介し収容されたものとなっている。即ち、その交換機では、アナログ内線電話機１に係るアナログ音声信号や、ＰＨＳ子機５に係るＮｋbit/s ＰＩＡＦＳ方式データおよびＮｋbit/s 音声データが取扱可とされているものである。
【００１０】
より具体的には、Ｎの値は、通常、３２に設定されるものとして、アナログ内線電話機１からのアナログ音声信号はライン回路２でＭ（＝２Ｎ）ｋbit/s に変換されている一方、アナログ内線電話機１へのＭｋbit/s 内線電話音声データはライン回路２でアナログ音声信号に変換されているものである。また、データ端末４からのＮｋbit/s ＰＩＡＦＳ方式データは、ＰＨＳ子機５、基地局６を介し、基地局インタフェース回路７でＭｋbit/s 帯域内で速度圧縮されている一方、Ｍｋbit/s 帯域内で速度圧縮された状態のデータ端末４へのＮｋbit/s ＰＩＡＦＳ方式データは、基地局インタフェース回路７で元の速度状態に速度伸長されているものである。更に、ＰＨＳ子機５からのＮｋbit/s 音声データは基地局６を介し、基地局インタフェース回路７で疑似復号化によりＭｋbit/s 音声データに変換されている一方、ＰＨＳ子機５へのＭｋbit/s 音声データは基地局インタフェース回路７で疑似圧縮化によりＮｋbit/s 音声データに変換されているものである。結局、通話路スイッチ３上では、ＰＨＳ子機５からのＮｋbit/s ＰＩＡＦＳ方式データ、ＰＨＳ子機５からのＮｋbit/s 音声データ、アナログ内線電話機１からのアナログ音声信号各々はＭｋbit/s 帯域のタイムスロットを単位として、中央制御装置１３による制御下にタイムスロット入替が行われているものである。
【００１１】
さて、以上のようにしてなる交換機は、通話路スイッチ３と高速ディジタル回線との間に、多重・音声圧縮機能を備える高速ディジタル回線インタフェース回路（ＤＴＩ）８がその交換機の１構成要素として介在配置せしめられたものとなっている。換言すれば、交換機は、高速ディジタル回線インタフェース回路８、高速ディジタル回線を介し対向交換機に接続された状態で、ＰＨＳ子機５からのＮｋbit/s ＰＩＡＦＳ方式データ、ＰＨＳ子機５からのＮｋbit/s 音声データ、アナログ内線電話機１からのアナログ音声信号各々が送信されているものであり、対向交換機からその交換機に対しても、同様にして、ＰＨＳ子機からのＮｋbit/s ＰＩＡＦＳ方式データ、ＰＨＳ子機からのＮｋbit/s 音声データ、アナログ内線電話機からのアナログ音声信号各々が送信されているものである。その高速ディジタル回線インタフェース回路８は本発明に直接係るものとされるが、本例では、図１に示すように、その内部にタイムスロット多重・分離用の多重回路（ＭＵＸ）１１、音声データ圧縮・復号化用の音声圧縮回路（ＶＣ）９、音声データ・ＰＩＡＦＳ方式データ分離・統合用の選択回路（ＳＥＬ）１０、中央制御装置１３からのＭｋbit/s 監視・制御信号をその監視・制御信号部分のみをＮｋbit/s に速度伸長する一方、Ｎｋbit/s に速度伸長された監視・制御信号部分のみをＭｋbit/s の帯域内で速度圧縮するＤCH圧縮回路（ＤＣ）１４、および回線インタフェース回路（ＤＬＩ）１２を含むものとして構成されたものとなっている。因みに、Ｍｋbit/s の帯域のタイムスロット上での監視・制御信号についてより詳細に説明すれば、そのタイムスロット上では全ビットが監視・制御信号用に使用されることはなく、通常、その半分以下のビットが監視・制御信号用に使用されたものとなっている。したがって、ＤCH圧縮回路１４では、監視・制御信号を含む半分のビットのみをＮｋbit/s に速度伸長したり、これとは逆に、Ｎｋbit/s に速度伸長された、監視・制御信号を含む半分のビットのみをＭｋbit/s の帯域内で速度圧縮すべく機能しているものである。
【００１２】
ここで、説明が一部重複するが、ＰＨＳ子機５からのＮｋbit/s ＰＩＡＦＳ方式データ、ＰＨＳ子機５からのＮｋbit/s 音声データ、アナログ内線電話機１からのアナログ音声信号、中央制御装置１３からの監視・制御信号各々が、如何に高速ディジタル回線上の２Ｍｋbit/s 帯域のタイムスロット内で時分割多重化された上、対向交換機に送信されるかについて説明すれば以下のようである。
【００１３】
即ち、アナログ内線電話機１からのアナログ音声信号はライン回路２でのディジタル変換によりＭｋbit/s 音声データに変換された上、通話路スイッチ３、選択回路１０を介し音声圧縮回路９でＮｋbit/s 音声データに音声圧縮された状態の情報チャネル（Ｂ’CH）として、多重回路１１に与えられるものとなっている。また、ＰＨＳ子機５からのＮｋbit/s 音声データは基地局６を介し、基地局インタフェース回路７での疑似復号化により一旦、Ｍｋbit/s 音声データに変換された上、通話路スイッチ３、選択回路１０を介し音声圧縮回路９でＮｋbit/s 音声データに音声圧縮された状態の情報チャネル（Ｂ’CH）として、多重回路１１に与えられるものとなっている。更に、ＰＨＳ子機３からのＮｋbit/s ＰＩＡＦＳ方式データは、基地局６を介し、基地局インタフェース回路７でＭｋbit/s 帯域内で速度圧縮された後、通話路スイッチ３、選択回路１０を介しそのＰＩＡＦＳ方式データ部分のみが選択的に抽出された上、Ｎｋbit/s に速度伸長された状態の情報チャネル（Ｂ’CH）として、多重回路１１に与えられるものとなっている。更にまた、中央制御装置１３からのＭｋbit/s 監視・制御信号はその監視・制御信号部分のみがＤCH圧縮回路１４でＮｋbit/s に速度伸長された状態の制御チャネル（Ｄ’CH）として、多重回路１１に与えられるものとなっている。したがって、それら３情報チャネル、１制御チャネルは多重回路１１により時分割多重化された上、回線インタフェース回路１２から高速ディジタル回線上には、２Ｍｋbit/s 帯域の同一タイムスロット内に３情報チャネル＋１制御チャネルとして時分割多重された状態として対向交換機に送信されているものである。因みに、ＰＨＳ子機３からのＮｋbit/s ＰＩＡＦＳ方式データは、音声圧縮回路９をバイパスされた状態として多重回路１１に与えられているが、これは、選択回路１０に対する中央制御装置１３からの制御によっている。ＰＨＳ子機５からのＤCH信号により、中央制御装置１３では、事業所用ＰＨＳデータ通信であることを認識の上、ＰＩＡＦＳ方式データが直接多重回路１１に分配されるべく、選択回路１０はデマルチプレクサ動作しているものである。
【００１４】
一方、対向交換機から高速ディジタル回線上の同一２Ｍｋbit/s 帯域のタイムスロット内に時分割多重されている３情報チャネル＋１制御チャネルが交換機で受信されるに際しては、３情報チャネル上のＰＨＳデータ、ＰＨＳ・内線電話音声データ、１制御チャネル上の監視・制御信号各々は逆経路上を辿る途中で逆処理が行われつつ、アナログ内線電話機１、ＰＨＳ子機５、中央制御装置１３各々に分配されているものである。特に、対向交換機からのＰＩＡＦＳ方式データが受信されるに際しては、そのＰＩＡＦＳ方式データは多重回路１１で分離されるが、受信ＤCH信号により中央制御装置１３では、ＰＨＳ子機５からのデータ通信であるということを認識の上、選択回路１０が音声圧縮回路９をバイパスする状態におかれることで、Ｎｋbit/s で受信されたＰＩＡＦＳ方式データはＭｋbit/s の帯域内で速度圧縮された状態として、選択回路１０、通話路スイッチ３、基地局インタフェース回路７、基地局６、ＰＨＳ子機５を介しデータ端末４に分配されているものである。
【００１５】
図２（Ａ）〜（Ｃ）は、Ｎの値が３２であるとして、対向交換機と１本の高速ディジタル回線のみで接続されている場合に、必要とされる高速ディジタル回線インタフェース回路８の数と、その高速ディジタル回線上でのタイムスロット構成と、そのタイムスロット内への情報チャネル（Ｂ′CH）、制御チャネル（Ｄ′CH）の時分割多重態様例とを示したものである。これについては、既述の説明よりして明らかであるので、これ以上の説明は不要である。
【００１６】
図３（Ａ）〜（Ｅ）はまた、Ｎの値が３２であるとして、対向交換機と４本の高速ディジタル回線（高速ディジタル回線の接続本数は、４本が最大と考えられる）で接続されている場合に、必要とされる高速ディジタル回線インタフェース回路８の数と、それら高速ディジタル回線上でのタイムスロット内への情報チャネル（Ｂ′CH）、制御チャネル（Ｄ′CH）の時分割多重態様例とを示したものである。図３（Ａ）に示すように、高速ディジタル回線インタフェース回路８は高速ディジタル回線対応に設けられることから、同一回路構成の高速ディジタル回線インタフェース回路８は４回路分、必要となっている。本例では、１５情報チャネル（Ｂ′CH）に対して１制御チャネル（Ｄ′CH）が設けられているわけであるが、１５情報チャネルであっても、ＤCH用タイムスロット上での全ビットのうち、その半分以下のビットが監視・制御信号用に使用されている限りにおいては、１５Ｂ′＋１Ｄ′も十分可能とされているものである。尤も、対向交換機と２本の高速ディジタル回線で接続される場合には、７Ｂ′＋１Ｄ′として、また、３本の高速ディジタル回線で接続される場合は、１１Ｂ′＋１Ｄ′としてそれぞれ時分割多重されればよいものである。ＰＨＳ子機３からの３２ｋbit/s ＰＩＡＦＳ方式データは、そのまま３２ｋbit/s へ割付け可能とされ、また、制御チャネルとしてのＤCHも３２ｋbit/s に速度伸長されていることから、高速ディジタル回線の有効活用が図れているものである。
【００１７】
【発明の効果】
以上、説明したように、請求項１，２による場合には、構内交換機間で高速ディジタル回線を介し、ＰＨＳ・内線電話音声通信や事業所用ＰＨＳデータ通信が行われる場合に、それら通信が経済的に、しかも専門のシステムエンジニアリング不要として容易に行い得る構内交換機間データ・音声通信方法が、また、請求項３，４による場合は、そのような構内交換機間データ・音声通信方法が実施される上で好適な構成の構内交換機がそれぞれ得られるものとなっている。
【図面の簡単な説明】
【図１】図１は、本発明による構内交換機の一例でのブロック構成を示す図
【図２】図２（Ａ）は、Ｎの値が３２であるとして、対向交換機と１本の高速ディジタル回線のみで接続されている場合に、必要とされる高速ディジタル回線インタフェース回路の数を、図２（Ｂ）は、その高速ディジタル回線上でのタイムスロット構成を、図２（Ｃ）は、そのタイムスロット内への情報チャネル（Ｂ′CH）、制御チャネル（Ｄ′CH）の時分割多重態様例をそれぞれ示す図
【図３】図３（Ａ）は、Ｎの値が３２であるとして、対向交換機と４本の高速ディジタル回線で接続されている場合に、必要とされる高速ディジタル回線インタフェース回路の数を、図３（Ｂ）〜（Ｅ）は、それら高速ディジタル回線上のタイムスロット内への情報チャネル（Ｂ′CH）、制御チャネル（Ｄ′CH）の時分割多重態様例をそれぞれ示す図
【符号の説明】
１…アナログ内線電話機、２…ライン回路、３…通話路スイッチ、４…データ端末、５…ＰＨＳ子機、６…基地局、７…基地局インタフェース回路、８…高速ディジタル回線インタフェース回路、９…音声圧縮回路、１０…選択回路、１１…多重回路、１２…回線インタフェース回路、１３…中央制御装置、１４…ＤCH圧縮回路
【図１】
0003986188.tif 000002
【図２】
0003986188.tif 000003
【図３】
0003986188.tif 000004